(57)【特許請求の範囲】
【請求項１】
二枚の紙片が接着層を介して積層するとともに、前記二枚の紙片のうちの一方の紙片の裏面には粘着剤を設け、該粘着剤層には離型紙を貼り合わせて成る配送伝票であって、前記二枚の紙片のうちの他方の紙片を、互いに平行に延びるとともに厚さ方向に貫通した二本の連続したスリットによって３つの小紙片に分割することで、それぞれの小紙片が順に送り状としての小紙片と荷札としての小紙片と受領票としての小紙片に区画形成されており、前記接着層が同一成分の接着剤のみにより構成されており、前記接着剤は、ワックスエマルジョンを主成分としたウェット方式で接着が行われ、前記接着剤が前記ワックスエマルジョンと酢酸ビニルアクリル共重合体エマルジョンとの混合物であり、接着時には、前記接着剤を乾燥させることなく接着することができると共に、剥離時には層間で凝集破壊し、常温では再接着しないように構成されており、前記接着層における前記送り状としての紙片及び受領票としての紙片に対応する部分が前記荷札としての紙片に対応する部分と比較して薄くなるように形成され、前記接着層における薄く形成された部分が接着力抑制層を介して一方の紙片に接していることを特徴とする配送伝票。
【請求項２】
前記接着層接着力抑制層がシリコン樹脂を添加した合成樹脂層より成ることを特徴とする請求項１記載の配送伝票。
【請求項３】
前記合成樹脂層が電離放射線硬化型樹脂より成ることを特徴とする請求項２に記載の配送伝票。
【発明の詳細な説明】
【０００１】
【発明の属する技術分野】
本発明は、配送業者が物品の配送の際に用いる配送伝票等に関するものである。
【０００２】
【従来の技術】
配送業者が物品を配送する際に用いる配送伝票は、最近、二枚の紙片を接着層を介して剥離可能に積層した構造のものが増加しつつある。従来、このような配送伝票等の素材として用いられる積層体は、例えば、二枚の紙片を天然ゴム系やアクリル系を主体とした感圧接着剤を介して積層することにより構成されていた。
【０００３】
【発明が解決しようとする課題】
上述した従来の積層体を製造する際には、感圧接着剤を塗布した後にこれを完全に乾燥させなければならず、接着剤塗布の工程を印刷や接着の工程とインラインで行うことができないため、非能率的であった。
【０００４】
また、上述した従来の積層体の素材として、ウエブ状の紙片の一方の面に感圧接着剤を塗布したものが用いられることが多い。このような素材は、ロール状に巻かれた状態で製造現場に供給され、感圧接着剤が塗布されていないウエブ状の紙片と重ね合わされて接着された後、所定のサイズに切断される。
【０００５】
ところで、二枚の紙片を剥離可能に積層した構造の積層体より成る配送伝票等では、剥離される側の紙片の一部分を剥離せずに残すものが有り、その場合には、積層体の剥離強度を部分的に大きくする必要が有る。感圧接着剤を用いた積層体をこのような構造にするには、接着剤の接着強度を部分的に大きくするか、あるいは、接着圧を部分的に大きくするという方法が考えられるが、前者の場合には、ウエブ状の紙片をロール状に巻き取る際に巻圧により感圧接着剤が紙片の表面に接着する現象（ブロッキング）が生じる場合が有り、後者の場合には、積層体がカールして見栄えが悪くなり、製品価値が損われるという問題点が有った。
【０００６】
本発明は上述した問題点を除いた配送伝票を提供することを目的としてなされたものである。
【０００７】
【課題を解決するための手段】
上述した目的を達成するために、本発明では、二枚の紙片が接着層を介して積層するとともに、前記二枚の紙片のうちの一方の紙片の裏面には粘着剤を設け、該粘着剤層には離型紙を貼り合わせて成る配送伝票であって、前記二枚の紙片のうちの他方の紙片を、互いに平行に延びるとともに厚さ方向に貫通した二本の連続したスリットによって３つの小紙片に分割することで、それぞれの小紙片が順に送り状としての小紙片と荷札としての小紙片と受領票としての小紙片に区画形成されており、前記接着層が同一成分の接着剤のみにより構成されており、前記接着剤は、ワックスエマルジョンを主成分としたウェット方式で接着が行われ、前記接着剤が前記ワックスエマルジョンと酢酸ビニルアクリル共重合体エマルジョンとの混合物であり、接着時には、前記接着剤を乾燥させることなく接着することができると共に、剥離時には層間で凝集破壊し、常温では再接着しないように構成されており、前記接着層における前記送り状としての紙片及び受領票としての紙片に対応する部分が前記荷札としての紙片に対応する部分と比較して薄くなるように形成され、前記接着層における薄く形成された部分が接着力抑制層を介して一方の紙片に接していることを特徴とするものである。
【０００８】
また、前記接着層接着力抑制層がシリコン樹脂を添加した合成樹脂層より成ることを特徴とするものである。
【０００９】
また、前記合成樹脂層が電離放射線硬化型樹脂より成ることを特徴とするものである。
【００１３】
【発明の実施の形態】
以下、本発明の具体的な実施形態を図面を参照しながら説明する。
図１は本発明の一実施形態である配送伝票１の平面図、図２は図１のＡ−Ａ線断面を模式的に示した図、図３は図２のＢ部拡大図である。
【００１４】
この配送伝票１は、運送会社等が荷物を客先に送付するために用いるものであって、図２に示すように、二枚の紙片２、３が接着層４を介して剥離可能に積層され、紙片３の裏面には粘着剤層５が設けられ、粘着剤層５には離型紙６が貼り合わされている。紙片２は、平行に延びる二本のスリット７、８によって、送り状２ａ、荷札２ｂ（配達票）、及び受領票２ｃに区画されている。そして、紙片３における送り状２ａ及び受領票２ｃに対向する部分と接着層４との間には接着力抑制層（合成樹脂層）９、１０が設けられている。
【００１５】
送り状２ａは荷物の受取人が配送伝票１から切り離して保管し、受領票２ｃは受領印が押印された後、配達員が配送伝票１から切り離して持ち帰る。送り状２ａ、荷札２ｂ、及び受領票２ｃの表面には、年月日、受取人の住所及び氏名（お届け先）、荷送人の住所及び氏名、品名及び記事、個数、問い合わせ番号（伝票番号）等の配送情報の記入欄が印刷されている。
【００１６】
配送伝票１は、紙片２を形成するために必要な印刷を施したウエブ状の紙片と、紙片３を形成するためのウエブ状の紙片とをワックスエマルジョンを主成分とする接着剤を介して積層接着した後、切断することによって形成される。
【００１７】
前記接着剤は、例えば、水１００重量部に対し、ワックスエマルジョンを１０〜２９０重量部、酢酸ビニルアクリル共重合体エマルジョンを１０〜２９０重量部（ワックスエマルジョンとの合計重量部が３００重量部となるようにする）混合したものより成り、これが紙片３を形成するウエブの一方の面上に形成された接着力抑制層９、１０の上から活版や凹版方式で乾燥後の厚みが１〜２０μｍ（接着力抑制層９、１０に対向する部分）となるように塗布され、未乾燥の状態で前記ウエブの一方の面に紙片２を形成するウエブが貼り合わされる。そして、温風等の適宜の方法で接着剤を乾燥させる。
【００１８】
なお、ワックスエマルジョンを構成するワックスとしては、例えば、蜜ロウ、セラッカロウ等の動物性ワックス類、カルナバロウ等の植物性ワックス類、パラフィンワックス、微晶ワックス等の石油ワックス類、ポリエチレンワックス、その他合成ワックス類等が挙げられるが、特に、乳化安定性が良く、安価であるという理由からポリエチレンワックスを使用することが好ましい。
【００１９】
酢酸ビニルアクリル共重合体エマルジョンは、接着力を調整するために添加されるものであり、配合比率が大きくなると接着力が強くなり、配合比率が小さくなると接着力が弱まる。配合比率が２９０重量部以上である場合には剥離時に紙面の破壊を生ずる恐れが有り、１０重量部未満の場合には配送中や印字処理中において紙片２、３が分離する恐れが有る。
【００２０】
接着力抑制層９、１０は送り状２ａ及び受領票２ｃを荷札２ｂよりも紙片３から剥離し易くするためのもので、シリコン樹脂を添加した電離放射線硬化型の合成樹脂より成り、前記接着剤と同様に活版方式や凹版方式等の方法によって紙片３上に形成され、その厚さは１〜５μｍ程度である。また、その際に添加されるシリコン樹脂は３〜５重量部が適当である。
【００２１】
接着力抑制層９、１０にはシリコン樹脂が添加されており、そのシリコン樹脂は前記接着剤をはじく性質を有しているため、接着力抑制層９、１０の上から前記接着剤を塗布すると、接着層４における接着力抑制層９、１０に対向する部分の厚みが接着層４の他の部分の厚みよりも小さくなる。接着層４は厚みが小さい部分ほど凝集破壊に要する力が小さくなるという性質を有しているため、送り状２ａ及び受領票２ｃは荷札２ｂよりも剥離し易くなる。
【００２２】
なお、本実施形態は、接着力抑制層９、１０を電離放射線硬化型樹脂により形成することにより、速乾性と安定した接着力が得られるという利点を有している。電離放射線硬化型樹脂としては、例えば、エポキシアクリレート、ウレタンアクリレート、アクリル変成ポリエステル等をオリゴマーとし、これに架橋構造、粘度の調整等を目的としてネオペンチルグリコールアクリレート、トリメチロールプロパントリアクリレート等のモノマーを配合して用いることができ、紫外線硬化させる場合には、上記樹脂に光重合開始剤を配合するようにする。
【００２３】
なお、本発明は上述した実施形態に限定されるものではなく、種々の態様で実施することができる。例えば、本発明を、三枚以上の紙片が剥離可能に積層された積層体の一部を成す積層体について適用するようにしてもよい。
【００２４】
また、接着層の厚みを部分的に変えるには、上述したようなシリコン樹脂を添加した接着力抑制層を用いる他に、使用される接着剤をはじく、あるいは接着剤がのりにくい性質を有する他の材質の層を用いるようにしてもよい。さらには接着層を活版や凹版方式で形成するようにし、版の深さを部分的に変えることによって接着層の厚みを部分的に変えるようにすることもできる。
【００２５】
【発明の効果】
以上説明したように本発明の配送伝票は、接着層を形成する接着剤を乾燥させる必要が無いため、接着剤塗布の工程を印刷や接着の工程とインラインで行うことができ、能率良く製造することができる。また、接着層を部分的に薄くなるように形成することによって剥離強度を部分的に変えるようにしているため、カールや製造過程時におけるブロッキングを生じることが無い。
【００２６】
また、合成樹脂層に添加されるシリコン樹脂の量を調節することにより、剥離強度を容易に調節することができる。
【００２７】
また、合成樹脂層が電離放射線硬化型樹脂より成ることにより、速乾性と安定した接着力が得られるため、製造能率と品質の向上を図ることができる。
【図面の簡単な説明】
【図１】  本発明の一実施形態である配送伝票１の平面図。
【図２】  図１のＡ−Ａ線断面を模式的に示した図。
【図３】  図２のＢ部拡大図。
【符号の説明】
１  配送伝票（積層体）
２、３  紙片
４  接着層
９、１０  接着力抑制層（合成樹脂層）
【図１】
0004668372.tif 000002
【図２】
0004668372.tif 000003
【図３】
0004668372.tif 000004